(57)【要約】【課題】  監視者の負担を軽減し、かつ、低コストでデータ放送を監視することができるデータ放送の監視システムを提供すること。【解決手段】  赤外線リモコン３は、所定チャンネルへの変更の制御信号を発光し、テレビ受信機１のチャンネルを変更する。テレビ受信機１に表示される画像は、情報処理装置２に出力される。データ放送が正常に放送されていない場合には、受信機にデータ放送が受信できない旨のエラーがされ、かつ、画像入力部２１により、エラー表示の画像がキャプチャされる。画像認識部２２は、画像入力部２１でキャプチャされたエラー表示の画像と、記憶部２４に格納されているエラー画像とを比較することにより、エラーが表示されたことが判明する。報知部２３は、画像認識部２２からの結果を受けて、データ放送のエラーが起きたことを、音や光やその他の手段を用いて報知するとともにエラー内容を発生時刻とともにログ記憶部５０に記憶する。【選択図】  図７
2006245718.tif 000002
【特許請求の範囲】
【請求項１】
データ放送監視システムであって、
データ放送が受信・表示可能であり、リモコン操作が可能なテレビ受信機と、
データ放送のチャンネル変更、又は同一チャンネル内のコンテンツの変更の制御信号を、前記テレビ受信機に発信するリモコン部と
を有することを特徴とするデータ放送監視システム。
【請求項２】
データ放送監視システムであって、
データ放送が受信・表示可能であり、リモコン操作が可能なテレビ受信機と、
データ放送のチャンネル変更、又は同一チャンネル内のコンテンツの変更の制御信号を、前記テレビ受信機に発信するリモコン部と、
前記テレビ受信機におけるデータ放送のエラー画像が記憶された記憶部と、
前記テレビ受信機のデータ放送の画像をキャプチャし、この画像と前記記憶部に記憶されているエラー画像とを比較し、キャプチャした画像の一部又は全部と記憶されているエラー画像とが一致する場合にはエラー信号を出力する画像認識手段と、
前記エラー信号に応答し、データ放送の異常を報知する報知手段と
を有することを特徴とするデータ放送監視システム。
【請求項３】
エラー内容、エラーが発生した時刻のログ情報を記録する手段を更に有することを特徴とする請求項２に記載のデータ放送監視システム。
【請求項４】
データ放送監視システムであって、
データ放送が受信・表示可能であり、リモコン操作が可能なテレビ受信機と、
データ放送のチャンネル変更、又は同一チャンネル内のコンテンツの変更の制御信号を、前記テレビ受信機に発信するリモコン部と、
データ放送で放送される特定画像が記憶された記憶部と、
前記テレビ受信機のデータ放送の画像をキャプチャし、この画像と前記記憶部に記憶されている特定画像とを比較し、キャプチャした画像の一部又は全部と記憶されている特定画像とが一致しない場合にはエラー信号を出力する画像認識手段と、
前記エラー信号に応答し、データ放送の異常を報知する報知手段と
を有することを特徴とするデータ放送監視システム。
【請求項５】
データ放送監視システムであって、
データ放送が受信・表示可能であり、リモコン操作が可能なテレビ受信機と、
データ放送のチャンネル変更、又は同一チャンネル内のコンテンツの変更の制御信号を、前記テレビ受信機に発信するリモコン部と、
前記テレビ受信機におけるデータ放送のエラー画像と、データ放送で放送される特定画像とが記憶された記憶部と、
前記テレビ受信機のデータ放送の画像をキャプチャする手段と、
キャプチャされた画像と前記記憶部に記憶されているエラー画像とを比較し、キャプチャした画像の一部又は全部と記憶されているエラー画像とが一致する場合にはエラー信号を出力する第１の画像認識手段と、
キャプチャされた画像と前記記憶部に記憶されている特定画像とを比較し、キャプチャした画像の一部又は全部と記憶されている特定画像とが一致しない場合にはエラー信号を出力する第２の画像認識手段と、
前記エラー信号に応答し、データ放送の異常を報知する報知手段と
を有することを特徴とするデータ放送監視システム。
【請求項６】
エラー内容、エラーが発生した時刻のログ情報を記録する手段を更に有することを特徴とする請求項５に記載のデータ放送監視システム。
【請求項７】
前記リモコン部は、所定の時間間隔で、定められたチャンネル又はコンテンツの変更を繰り返し行うことを特徴とする請求項１から請求項６のいずれかに記載のデータ放送監視システム。
【請求項８】
前記リモコン部を遠隔地より制御する制御手段を有することを特徴とする請求項１から請求項７のいずれかに記載のデータ放送監視システム。
【発明の詳細な説明】
【技術分野】
【０００１】
本発明はデータ放送の監視システムに関し、特に監視者の負担を軽減し、かつ、低コストでデータ放送を監視することができるデータ放送の監視システムに関する。
【背景技術】
【０００２】
近年、地上デジタル放送が開始され、それに伴いデータ放送も開始された。このデータ放送は、ＢＭＬ文書やＪＰＥＧ、ＰＮＧ、バイナリテーブルなどのリソースを、データカルーセル伝送方式によって伝送する。データカルーセル伝送方式は、複数のファイルをＭＰＥＧ−２のセクションに分割して繰り返し送出する伝送方式であり、ＤＳＭ−ＣＣ規格に準拠している。
【０００３】
データ放送では、放送波を利用してインタラクティブコンテンツの再生を可能とするために、視聴者が任意のタイミングで操作を行っても必要なデータが取得できるよう、コンテンツを構成するファイル群はデータカルーセルにより繰り返し送出される。視聴者のリモコン操作などで画面の切替え指示が発生すると、受信機は必要なデータを取得して画面に表示する。
【０００４】
一方、テレビ受信機を操作するリモコンは人手によって操作されるのが一般的であるが、なかには、学習機能を有するリモコンがある（例えば、特許文献１）。特許文献１に開示された学習機能を有するリモコンは複数の機器をシーケンシャルに自動コントロールするものである。
【０００５】
【特許文献１】特開平４−３５６８９３号公報
【発明の開示】
【発明が解決しようとする課題】
【０００６】
ところで、地上波デジタル放送の受信機はメモリ機能を持っているため、データ放送の送出が止まっていても、メモリがクリアされない限りは、一度受信したデータ放送を表示し続ける。このような事情に鑑み、データ放送の送出が正常に行われているかの監視は、手動で一定時間ごとにメモリをクリアして、人間の目で確認するという作業を実施する必要があった。また、データ放送は映像音声とは異なり、その画面だけを見ておけばよいものではなく、複数の階層から構成されているので、全ページの確認を行うには、多くの操作が必要であり、監視者にとって大きな負担となっていた。
【０００７】
そこで、本発明は上記課題に鑑みて発明されたものであって、その目的は監視者の負担を軽減し、かつ、低コストでデータ放送を監視することができるデータ放送の監視システムを提供することにある。
【課題を解決するための手段】
【０００８】
上記課題を解決する第１の発明は、データ放送監視システムであって、データ放送が受信・表示可能であり、リモコン操作が可能なテレビ受信機と、データ放送のチャンネル変更、又は同一チャンネル内のコンテンツの変更の制御信号を、前記テレビ受信機に発信するリモコン部とを有することを特徴とする。
【０００９】
上記課題を解決する第２の発明は、データ放送監視システムであって、データ放送が受信・表示可能であり、リモコン操作が可能なテレビ受信機と、データ放送のチャンネル変更、又は同一チャンネル内のコンテンツの変更の制御信号を、前記テレビ受信機に発信するリモコン部と、前記テレビ受信機におけるデータ放送のエラー画像が記憶された記憶部と、前記テレビ受信機のデータ放送の画像をキャプチャし、この画像と前記記憶部に記憶されているエラー画像とを比較し、キャプチャした画像の一部又は全部と記憶されているエラー画像とが一致する場合にはエラー信号を出力する画像認識手段と、前記エラー信号に応答し、データ放送の異常を報知する報知手段とを有することを特徴とする。
【００１０】
上記課題を解決する第３の発明は、上記第２の発明において、エラー内容、エラーが発生した時刻のログ情報を記録する手段を更に有することを特徴とする。
【００１１】
上記課題を解決する第４の発明は、データ放送監視システムであって、データ放送が受信・表示可能であり、リモコン操作が可能なテレビ受信機と、データ放送のチャンネル変更、又は同一チャンネル内のコンテンツの変更の制御信号を、前記テレビ受信機に発信するリモコン部と、データ放送で放送される特定画像が記憶された記憶部と、前記テレビ受信機のデータ放送の画像をキャプチャし、この画像と前記記憶部に記憶されている特定画像とを比較し、キャプチャした画像の一部又は全部と記憶されている特定画像とが一致しない場合にはエラー信号を出力する画像認識手段と、前記エラー信号に応答し、データ放送の異常を報知する報知手段とを有することを特徴とする。
【００１２】
上記課題を解決する第５の発明は、データ放送監視システムであって、データ放送が受信・表示可能であり、リモコン操作が可能なテレビ受信機と、データ放送のチャンネル変更、又は同一チャンネル内のコンテンツの変更の制御信号を、前記テレビ受信機に発信するリモコン部と、前記テレビ受信機におけるデータ放送のエラー画像と、データ放送で放送される特定画像とが記憶された記憶部と、前記テレビ受信機のデータ放送の画像をキャプチャする手段と、キャプチャされた画像と前記記憶部に記憶されているエラー画像とを比較し、キャプチャした画像の一部又は全部と記憶されているエラー画像とが一致する場合にはエラー信号を出力する第１の画像認識手段と、キャプチャされた画像と前記記憶部に記憶されている特定画像とを比較し、キャプチャした画像の一部又は全部と記憶されている特定画像とが一致しない場合にはエラー信号を出力する第２の画像認識手段と、前記エラー信号に応答し、データ放送の異常を報知する報知手段とを有することを特徴とする。
【００１３】
上記課題を解決する第６の発明は、上記第５の発明において、エラー内容、エラーが発生した時刻のログ情報を記録する手段を更に有することを特徴とする。
【００１４】
上記課題を解決する第７の発明は、上記第１から第６のいずれかの発明において、前記リモコン部は、所定の時間間隔で、定められたチャンネル又はコンテンツの変更を繰り返し行うことを特徴とする。
【００１５】
上記課題を解決する第８の発明は、上記第１から第７のいずれかの発明において、前記リモコン部を遠隔地より制御する制御手段を有することを特徴とする。
【発明の効果】
【００１６】
本発明によれば、自動的にリモコンでチャンネルを変更することにより、受信機のメモリをクリアすることができるので、手動で受信機のメモリをクリアすることに比べて、格段に監視者の負担を軽減することができる。
【００１７】
また、本発明は自動でデータ放送のエラー画面やバナー広告等の特定画像を検出するように構成することにより、更なる監視者の負担の軽減を図ることもできる。
【００１８】
また、本発明はセンター等の一元監視により、遠隔地より制御する手段を用いて、自動で全国各地のデータ放送のエラー画面やバナー広告等の特定画像を検出するように構成することにより、更なる監視者の負担の軽減を図ることもできる。
【発明を実施するための最良の形態】
【００１９】
本発明の実施の形態を説明する。
【００２０】
図１は本発明の実施の形態の一例を示すブロック図である。
【００２１】
図１中、１はデータ放送が受信可能なテレビ受信機であり、２はパーソナルコンピュータ等の情報処理装置であり、３は赤外線リモコンである。
【００２２】
テレビ受信機１は、赤外線リモコン３が発光する赤外線信号を受信する受光部を有し、この受光部で受信した赤外線信号により、データ放送のチャンネル又はコンテンツの変更を行うものである。
【００２３】
情報処理装置２は赤外線リモコン３とＵＳＢコード等で接続され、赤外線リモコン３を制御する情報処理装置である。具体的には、赤外線リモコン３からテレビ受信機１に対して、データ放送のチャンネル変更の赤外線信号を所定の周期で発光するように制御するものである。制御の方法であるが、所定の周期でチャンネル変更が行われるように予めプログラムを組み、このプログラムを情報処理装置の命令コマンド出力部２０に記憶させておき、このプログラムにより所定の時間間隔でチャンネル変更の命令コマンドを赤外線リモコン３に出力する。プログラムは、例えば、３分毎に、１チャンネル、３チャンネル‥のように変更していき、これをエンドレス（自動巡回）で行うようにする。また、同一チャンネル内に複数のコンテンツがある場合には、同一チャンネル内で、コンテンツを変更するようにしても良い。例えば、トップページ、ニュース、スポーツ‥のように所定時間間隔で変更していき、全てのコンテンツの変更が終了後、他チャンネルに変更する。尚、赤外線リモコン３がメモリ等の手段を有しており、プログラムを記憶でき、このプログラムにより動作可能なものならば、情報処理装置２により作成したプログラムをメモリ記憶させ、赤外線リモコン３単独で動作させるようにしても良い。
【００２４】
赤外線リモコン３は、情報処理装置２からの命令コマンド、又は自機に組み込まれたプログラムにより、赤外線信号を発光することにより、テレビ受信機１を制御するものである。尚、制御信号の形式は、赤外線に限ることなく、ブルートゥース（Bluetooth）等の無線であっても良い。
【００２５】
このように構成されたシステムによれば、情報処理装置２により、赤外線リモコン３は、所定チャンネルへの変更の制御信号を発光し、テレビ受信機１のチャンネルを変更する。これにより、テレビ受信機３に記憶されていた変更前のチャンネルのデータ放送のデータは消去され、テレビ受信機３は新たに変更したチャンネルのデータ放送のデータが格納されてデータ放送のコンテンツが表示される。同一チャンネル内で、複数のコンテンツがある場合には、トップページ、ニュース、スポーツ‥のように所定時間間隔で変更していく。仮にデータ放送が正常に放送されていない場合には、受信機にデータ放送が受信できない旨が表示されるので、監視者はテレビ画面を見ているだけで、データ放送の監視をすることが可能となる。
【実施例１】
【００２６】
実施例１を説明する。
【００２７】
実施例１は上述したデータ放送の監視システムを自動化した例について説明する。
【００２８】
図２は本発明の実施例１の一例を示すブロック図である。
【００２９】
図２中、１はデータ放送が受信可能なテレビ受信機であり、２はパーソナルコンピュータ等の情報処理装置であり、３は赤外線リモコンである。
【００３０】
テレビ受信機１は、赤外線リモコン３が発光する赤外線信号を受信する受光部を有し、この受光部で受信した赤外線信号により、データ放送のチャンネル又はコンテンツの変更を行うものである。
【００３１】
情報処理装置２は赤外線リモコン３とＵＳＢコード等で接続され、赤外線リモコン３を制御する情報処理装置２である。具体的には、赤外線リモコン３からテレビ受信機１に対して、データ放送のチャンネル変更の赤外線信号を所定の周期で発光するように制御するものである。制御の方法であるが、所定の周期でチャンネル変更が行われるように予めプログラムを組み、このプログラムを情報処理装置の命令コマンド出力部２０に記憶させておき、このプログラムにより所定の時間間隔でチャンネル変更の命令コマンドを赤外線リモコン３に出力する。プログラムは、例えば、３分毎に、１チャンネル、３チャンネル‥のように変更していき、これをエンドレス（自動巡回）で行うようにする。また、同一チャンネル内に複数のコンテンツがある場合には、同一チャンネル内で、コンテンツを変更するようにしても良い。例えば、トップページ、ニュース、スポーツ‥のように所定時間間隔で変更していき、全てのコンテンツの変更が終了後、他チャンネルに変更する。尚、赤外線リモコン３がメモリ等の手段を有しており、プログラムを記憶でき、このプログラムにより動作可能なものならば、情報処理装置２により作成したプログラムをメモリ記憶させ、赤外線リモコン３単独で動作させるようにしても良い。
【００３２】
情報処理装置２は上述の実施の形態の構成に加えて、データ放送の監視を自動化する為、画像入力部２１と、画像認識部２２、報知部２３と、記憶部２４とを有する。
【００３３】
画像入力部２１は、テレビ受信機１からのデータ放送の画像を入力とし、この画像のキャプチャするものである。
【００３４】
記憶部２４には、例えば、図３に示されるような、データ放送時の受信不可能時にテレビ受信機１の画面に表示されるエラー画像を記憶している。
【００３５】
画像認識部２２は、画像入力部２１でキャプチャされたテレビ受信機１の画像と、記憶部２４に格納されているエラー画像とを比較・認識し、同一である場合には、その結果を報知部２３に出力する。
【００３６】
報知部２３は、画像認識部２２からの結果を受けて、データ放送のエラーを報知する。その報知の方法はビープ音や、音声のような音による報知ばかりでなく、光の点滅やエラーの表示でも良い。
【００３７】
赤外線リモコン３は、情報処理装置２からの命令コマンド、又は自機に組み込まれたプログラムにより、赤外線信号を発光することにより、テレビ受信機１を制御するものである。尚、制御信号の形式は、赤外線に限ることなく、ブルートゥース（Bluetooth）等の無線であっても良い。
【００３８】
このように構成されたシステムによれば、情報処理装置２により、赤外線リモコン３は、所定チャンネルへの変更の制御信号を発光し、テレビ受信機１のチャンネルを変更する。これにより、テレビ受信機１に記憶されていた変更前のチャンネルのデータ放送のデータは消去され、テレビ受信機１は新たに変更したチャンネルのデータ放送のデータが格納されてデータ放送のコンテンツが表示される。同一チャンネル内で、複数のコンテンツがある場合には、トップページ、ニュース、スポーツ‥のように所定時間間隔で変更していく。
【００３９】
この時、テレビ受信機１に表示される画像は、情報処理装置２に出力される。そして、情報処理装置２の画像入力部２１により、テレビ受信機１からのデータ放送の画像がキャプチャされ、画像認識部２２により、画像入力部２１でキャプチャされたテレビ受信機１の画像と、記憶部２４に格納されているエラー画像とを比較・認識される。仮にデータ放送が正常に放送されていない場合には、受信機にデータ放送が受信できない旨のエラーがされ、かつ、画像入力部２１により、エラー表示の画像がキャプチャされる。画像認識部２２は、画像入力部２１でキャプチャされたエラー表示の画像と、記憶部２４に格納されているエラー画像とを比較することにより、エラーが表示されたことが判明する。これにより、報知部２３は、画像認識部２２からの結果を受けて、データ放送のエラーが起きたことを、音や光やその他の手段を用いて報知する。
【００４０】
このように構成することにより、監視者はいつもテレビ画面を見ていることなく、エラーが起きたことを知ることができる。
【実施例２】
【００４１】
本発明の実施例２を説明する。
【００４２】
データ放送では、コンテンツ以外にも特定画像を表示する場合が多い。ここで、特定画像とは、広告のバナー画像や、広告の動画、メッセージ画像等である。放送局にとって、このような特定画像が正常に送出されているかは重要な確認事項である。そこで、実施例２では、データ放送における特定画像が正しく送出・表示されているかを監視するシステムについて説明する。尚、上述した実施例１と同様な構成のものについては、詳細な説明を省略する。
【００４３】
図４は実施例２の一構成例を示したブロック図である。
【００４４】
記憶部３０には、例えば、図５に示されるような、データ放送される特定画像（例えば、広告）が記憶されている。
【００４５】
画像認識部３１は、画像入力部２１でキャプチャされたテレビ受信機１の画像と、記憶部３０に格納されている特定画像とを比較・認識し、異なる場合には、その結果を報知部２３に出力する。尚、特定画像の中でもバナー広告等は、上述した実施例１に記述したエラー画像のように、位置が受信機により一意に決まるものではなく、番組内容や時間の経過とともにその表示位置が異なる。画像認識部３１はバナー広告等の表示位置が時間とともに変化しても画面全体の中から任意の位置に表示されているバナー広告を抽出する機能がある。
【００４６】
報知部２３は、画像認識部２２からの結果を受けて、データ放送において特定画像が正常に表示されていない旨を報知する。その報知の方法はビープ音や、音声のような音による報知ばかりでなく、光の点滅やエラーの表示でも良い。
【００４７】
このように構成されたシステムによれば、情報処理装置により、赤外線リモコン３は、所定チャンネルへの変更の制御信号を発光し、テレビ受信機１のチャンネルを変更する。これにより、テレビ受信機１に記憶されていた変更前のチャンネルのデータ放送のデータは消去され、テレビ受信機１は新たに変更したチャンネルのデータ放送のデータが格納されてデータ放送のコンテンツが表示される。同一チャンネル内で、複数のコンテンツがある場合には、トップページ、ニュース、スポーツ‥のように所定時間間隔で変更していく。
【００４８】
この時、テレビ受信機に表示される画像は、情報処理装置２に出力される。そして、情報処理装置２の画像入力部２１により、テレビ受信機１からのデータ放送の画像がキャプチャされ、画像認識部３１により、画像入力部２１でキャプチャされたテレビ受信機１の画像と、記憶部３０に格納されている特定画像とを比較・認識される。仮にデータ放送が正常に放送されていない場合には、特定画像が正常に表示されず、この画像がキャプチャされる。画像認識部３１は、画像入力部２１でキャプチャされたデータ放送の表示画像と、記憶部３０に格納されている特定画像とを比較することにより、特定画像が正常に表示されていないことが判明する。これにより、報知部２３は、画像認識部３１からの結果を受けて、特定画像が正常に表示できていないことを、音や光やその他の手段を用いて報知する。
【００４９】
このように構成することにより、監視者はいつもテレビ画面を見ていることなく、特定画像が正常に送出、又は表示できていないことを知ることができる。
【００５０】
尚、上述した実施例１と本実施例２とを組み合わせて構成し、データ放送の送出と、特定画像との監視を両方ともできるように構成しても良い。
【実施例３】
【００５１】
本発明の実施例３を説明する。
【００５２】
実施例３では、テレビ受信機から遠隔地に監視者がある場合であっても、データ放送の監視ができるシステムについて説明する。
【００５３】
図６は実施例３の一構成例を示すブロック図である。
【００５４】
実施例３では、図６に示す如く、報知部２３をテレビ受信機１が設置された場所から離れた監視者の下に設置し、画像認識部２２の結果を、ネットワーク４０を介して報知部２３が受信できるように、データ送受信部４１、４２を設ける。
【００５５】
このようにすることにより、監視者がテレビ受信機１が設置された場所から離れた場所に居る場合であっても、データ放送の監視を行うことができる。
【００５６】
また、ネットワーク４０を介して、命令部４３からの命令コマンドをデータ送受信部４１に送信することにより、遠隔地より、チャンネルの変更等を制御することもできる。この機能により例えば東京から全国各地にある系列局の受信機を操作し、エラーの有無をチェックすることが可能である。尚、受信地域毎に特定画像が異なる場合、その受信地域に設置された監視システムの記録部２４にその地域の特定画像を記録させるようにすれば、受信地域毎の特定画像の監視ができる。更に、この特定画像も、センターから記憶部２４に送信し、記録部２４に記録させるようにしても良い。
【実施例４】
【００５７】
データ放送の監視を行う際に、データ放送の画面状態をログとして記録することができれば、より便利である。そこで、実施例４では、上述した実施例の構成に加え、画像認識部２２からの結果を受け、そのログを記録する手段を加えたことを特徴とする。
【００５８】
図７は実施例４の構成を示す図である。図７に示される如く、実施例１の構成に加えて画像認識部２２からの結果を受けて、エラーが発生した場合にエラー内容を発生時刻とともに記憶するログ記録部５０を新たに備える。これにより、過去に発生したエラーの検索も可能となる。
【００５９】
尚、このログ記録部５０は、実施例２の構成に同様に加えることができ、特定画像の表示の記録にも適用することができる。これにより、過去に発生した特定画像の異常表示の検索も可能となる。
【００６０】
また、エラーや異常表示ばかりでなく、例えば、赤外線リモコン３により、同一チャンネル内の全てのコンテンツのページを自動巡回させ、各ページに表示されたバナー画像等の特定画像の表示を画像認識部３１により認識し、そのページ毎の結果を時刻と共にログ記録部５０により記録しておく。これにより、同一の特定画像がどのページに何時に表示されたかの記録や、ある時刻のコンテンツのページにどの特定画像がいくつ表示されたかを記録することができ、後日の検索に有効である。
【００６１】
更に、実施例３の構成と組み合わせ、ログ記録部５０に記録したログをネットワークを介して、センターが抽出できるように構成しても良い。
【図面の簡単な説明】
【００６２】
【図１】図１は本発明の実施の形態の一例を示すブロック図である。
【図２】図２は本発明の実施例１の一例を示すブロック図である。
【図３】図３はテレビ受信機１の画面に表示されるエラー画像を示した図である。
【図４】図４は実施例２の一構成例を示したブロック図である。
【図５】図５はデータ放送される特定画像の一例を示す図である。
【図６】図６は実施例３の一構成例を示すブロック図である。
【図７】図７は実施例４の一構成例を示すブロック図である。
【符号の説明】
【００６３】
１      テレビ受信機
２      情報処理装置
３      赤外線リモコン
２０    命令コマンド出力部
２１    画像入力部
２２    画像認識部
２３    報知部
２４    記憶部
３０    記憶部
３１    画像認識部
４０    ネットワーク
４１    データ送受信部
４２    データ送受信部
４３    命令部
５０    ログ記憶部
【図１】
2006245718.tif 000003
【図２】
2006245718.tif 000004
【図３】
2006245718.tif 000005
【図４】
2006245718.tif 000006
【図５】
2006245718.tif 000007
【図６】
2006245718.tif 000008
【図７】
2006245718.tif 000009
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
データ放送監視システムであって、
データ放送が受信・表示可能であり、リモコン操作が可能なテレビ受信機と、
データ放送のチャンネル又は同一チャンネル内のコンテンツの変更順序とその周期とを記憶し、その変更順序及び周期に基づいて、データ放送のチャンネル又は同一チャンネル内のコンテンツの変更の命令コマンドを出力する制御部と、
前記命令コマンドに基づいて、データ放送のチャンネル変更、又は同一チャンネル内のコンテンツの変更の制御信号を、前記テレビ受信機に発信するリモコン部と
を有することを特徴とするデータ放送監視システム。
【請求項２】
データ放送監視システムであって、
データ放送が受信・表示可能であり、リモコン操作が可能なテレビ受信機と、
データ放送のチャンネル又は同一チャンネル内のコンテンツの変更順序とその周期とを記憶し、その変更順序及び周期に基づいて、データ放送のチャンネル又は同一チャンネル内のコンテンツの変更の命令コマンドを出力する制御部と、
前記命令コマンドに基づいて、データ放送のチャンネル変更、又は同一チャンネル内のコンテンツの変更の制御信号を、前記テレビ受信機に発信するリモコン部と、
前記テレビ受信機におけるデータ放送のエラー画像が記憶された記憶部と、
前記テレビ受信機のデータ放送の画像をキャプチャし、この画像と前記記憶部に記憶されているエラー画像とを比較し、キャプチャした画像の一部又は全部と記憶されているエラー画像とが一致する場合にはエラー信号を出力する画像認識手段と、
前記エラー信号に応答し、データ放送の異常を報知する報知手段と
を有することを特徴とするデータ放送監視システム。
【請求項３】
エラー内容、エラーが発生した時刻のログ情報を記録する手段を更に有することを特徴とする請求項２に記載のデータ放送監視システム。
【請求項４】
データ放送監視システムであって、
データ放送が受信・表示可能であり、リモコン操作が可能なテレビ受信機と、
データ放送のチャンネル又は同一チャンネル内のコンテンツの変更順序とその周期とを記憶し、その変更順序及び周期に基づいて、データ放送のチャンネル又は同一チャンネル内のコンテンツの変更の命令コマンドを出力する制御部と、
前記命令コマンドに基づいて、データ放送のチャンネル変更、又は同一チャンネル内のコンテンツの変更の制御信号を、前記テレビ受信機に発信するリモコン部と、
データ放送で放送される特定画像が記憶された記憶部と、
前記テレビ受信機のデータ放送の画像をキャプチャし、この画像と前記記憶部に記憶されている特定画像とを比較し、キャプチャした画像の一部又は全部と記憶されている特定画像とが一致しない場合にはエラー信号を出力する画像認識手段と、
前記エラー信号に応答し、データ放送の異常を報知する報知手段と
を有することを特徴とするデータ放送監視システム。
【請求項５】
データ放送監視システムであって、
データ放送が受信・表示可能であり、リモコン操作が可能なテレビ受信機と、
データ放送のチャンネル又は同一チャンネル内のコンテンツの変更順序とその周期とを記憶し、その変更順序及び周期に基づいて、データ放送のチャンネル又は同一チャンネル内のコンテンツの変更の命令コマンドを出力する制御部と、
前記命令コマンドに基づいて、データ放送のチャンネル変更、又は同一チャンネル内のコンテンツの変更の制御信号を、前記テレビ受信機に発信するリモコン部と、
前記テレビ受信機におけるデータ放送のエラー画像と、データ放送で放送される特定画像とが記憶された記憶部と、
前記テレビ受信機のデータ放送の画像をキャプチャする手段と、
キャプチャされた画像と前記記憶部に記憶されているエラー画像とを比較し、キャプチャした画像の一部又は全部と記憶されているエラー画像とが一致する場合にはエラー信号を出力する第１の画像認識手段と、
キャプチャされた画像と前記記憶部に記憶されている特定画像とを比較し、キャプチャした画像の一部又は全部と記憶されている特定画像とが一致しない場合にはエラー信号を出力する第２の画像認識手段と、
前記エラー信号に応答し、データ放送の異常を報知する報知手段と
を有することを特徴とするデータ放送監視システム。
【請求項６】
エラー内容、エラーが発生した時刻のログ情報を記録する手段を更に有することを特徴とする請求項５に記載のデータ放送監視システム。
【請求項７】
前記リモコン部を遠隔地より制御する制御手段を有することを特徴とする請求項１から請求項６のいずれかに記載のデータ放送監視システム。
【手続補正２】
【補正対象書類名】明細書
【補正対象項目名】０００８
【補正方法】変更
【補正の内容】
【０００８】
上記課題を解決する第１の発明は、データ放送監視システムであって、データ放送が受信・表示可能であり、リモコン操作が可能なテレビ受信機と、データ放送のチャンネル又は同一チャンネル内のコンテンツの変更順序とその周期とを記憶し、その変更順序及び周期に基づいて、データ放送のチャンネル又は同一チャンネル内のコンテンツの変更の命令コマンドを出力する制御部と、前記命令コマンドに基づいて、データ放送のチャンネル変更、又は同一チャンネル内のコンテンツの変更の制御信号を、前記テレビ受信機に発信するリモコン部とを有することを特徴とする。
【手続補正３】
【補正対象書類名】明細書
【補正対象項目名】０００９
【補正方法】変更
【補正の内容】
【０００９】
上記課題を解決する第２の発明は、データ放送監視システムであって、データ放送が受信・表示可能であり、リモコン操作が可能なテレビ受信機と、データ放送のチャンネル又は同一チャンネル内のコンテンツの変更順序とその周期とを記憶し、その変更順序及び周期に基づいて、データ放送のチャンネル又は同一チャンネル内のコンテンツの変更の命令コマンドを出力する制御部と、前記命令コマンドに基づいて、データ放送のチャンネル変更、又は同一チャンネル内のコンテンツの変更の制御信号を、前記テレビ受信機に発信するリモコン部と、前記テレビ受信機におけるデータ放送のエラー画像が記憶された記憶部と、前記テレビ受信機のデータ放送の画像をキャプチャし、この画像と前記記憶部に記憶されているエラー画像とを比較し、キャプチャした画像の一部又は全部と記憶されているエラー画像とが一致する場合にはエラー信号を出力する画像認識手段と、前記エラー信号に応答し、データ放送の異常を報知する報知手段とを有することを特徴とする。
【手続補正４】
【補正対象書類名】明細書
【補正対象項目名】００１１
【補正方法】変更
【補正の内容】
【００１１】
上記課題を解決する第４の発明は、データ放送監視システムであって、データ放送が受信・表示可能であり、リモコン操作が可能なテレビ受信機と、データ放送のチャンネル又は同一チャンネル内のコンテンツの変更順序とその周期とを記憶し、その変更順序及び周期に基づいて、データ放送のチャンネル又は同一チャンネル内のコンテンツの変更の命令コマンドを出力する制御部と、前記命令コマンドに基づいて、データ放送のチャンネル変更、又は同一チャンネル内のコンテンツの変更の制御信号を、前記テレビ受信機に発信するリモコン部と、データ放送で放送される特定画像が記憶された記憶部と、前記テレビ受信機のデータ放送の画像をキャプチャし、この画像と前記記憶部に記憶されている特定画像とを比較し、キャプチャした画像の一部又は全部と記憶されている特定画像とが一致しない場合にはエラー信号を出力する画像認識手段と、前記エラー信号に応答し、データ放送の異常を報知する報知手段とを有することを特徴とする。
【手続補正５】
【補正対象書類名】明細書
【補正対象項目名】００１２
【補正方法】変更
【補正の内容】
【００１２】
上記課題を解決する第５の発明は、データ放送監視システムであって、データ放送が受信・表示可能であり、リモコン操作が可能なテレビ受信機と、データ放送のチャンネル又は同一チャンネル内のコンテンツの変更順序とその周期とを記憶し、その変更順序及び周期に基づいて、データ放送のチャンネル又は同一チャンネル内のコンテンツの変更の命令コマンドを出力する制御部と、前記命令コマンドに基づいて、データ放送のチャンネル変更、又は同一チャンネル内のコンテンツの変更の制御信号を、前記テレビ受信機に発信するリモコン部と、前記テレビ受信機におけるデータ放送のエラー画像と、データ放送で放送される特定画像とが記憶された記憶部と、前記テレビ受信機のデータ放送の画像をキャプチャする手段と、キャプチャされた画像と前記記憶部に記憶されているエラー画像とを比較し、キャプチャした画像の一部又は全部と記憶されているエラー画像とが一致する場合にはエラー信号を出力する第１の画像認識手段と、キャプチャされた画像と前記記憶部に記憶されている特定画像とを比較し、キャプチャした画像の一部又は全部と記憶されている特定画像とが一致しない場合にはエラー信号を出力する第２の画像認識手段と、前記エラー信号に応答し、データ放送の異常を報知する報知手段とを有することを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
上記課題を解決する第７の発明は、上記第１から第６のいずれかの発明において、前記リモコン部を遠隔地より制御する制御手段を有することを特徴とする。
【手続補正書】
【提出日】平成18年6月20日(2006.6.20)
【手続補正１】
【補正対象書類名】特許請求の範囲
【補正対象項目名】全文
【補正方法】変更
【補正の内容】
【特許請求の範囲】
【請求項１】
データ放送監視システムであって、
データ放送が受信・表示可能であり、リモコン操作が可能なテレビ受信機と、
データ放送のチャンネル又は同一チャンネル内のコンテンツの変更順序とその周期とが予め記憶されており、その変更順序及び周期に基づいて、データ放送のチャンネル又は同一チャンネル内のコンテンツの変更の命令コマンドを出力する制御部と、
前記命令コマンドに基づいて、データ放送のチャンネル変更、又は同一チャンネル内のコンテンツの変更の制御信号を、前記テレビ受信機に発信することによって、前記テレビ受信機におけるデータ放送のチャンネル変更、又は同一チャンネル内のコンテンツの変更を行うリモコン部と、
データ放送の受信不可能時に前記テレビ受信機の画面に表示されるエラー画像が予め記憶された記憶部と、
前記テレビ受信機に表示される画像をキャプチャし、この画像と前記記憶部に記憶されているエラー画像とを比較し、キャプチャした画像の一部又は全部と記憶されているエラー画像とが一致する場合にはエラー信号を出力する画像認識手段と、
前記エラー信号に応答し、データ放送の異常を報知する報知手段と
を有することを特徴とするデータ放送監視システム。
【請求項２】
エラー内容、エラーが発生した時刻のログ情報を記録する手段を更に有することを特徴とする請求項１に記載のデータ放送監視システム。
【請求項３】
データ放送監視システムであって、
データ放送が受信・表示可能であり、リモコン操作が可能なテレビ受信機と、
データ放送のチャンネル又は同一チャンネル内のコンテンツの変更順序とその周期とが予め記憶されており、その変更順序及び周期に基づいて、データ放送のチャンネル又は同一チャンネル内のコンテンツの変更の命令コマンドを出力する制御部と、
前記命令コマンドに基づいて、データ放送のチャンネル変更、又は同一チャンネル内のコンテンツの変更の制御信号を、前記テレビ受信機に発信することによって、前記テレビ受信機におけるデータ放送のチャンネル変更、又は同一チャンネル内のコンテンツの変更を行うリモコン部と、
データ放送で放送される特定画像が予め記憶された記憶部と、
前記テレビ受信機に表示される画像をキャプチャし、この画像と前記記憶部に記憶されている特定画像とを比較し、キャプチャした画像の一部又は全部と記憶されている特定画像とが一致しない場合にはエラー信号を出力する画像認識手段と、
前記エラー信号に応答し、データ放送の異常を報知する報知手段と
を有することを特徴とするデータ放送監視システム。
【請求項４】
データ放送監視システムであって、
データ放送が受信・表示可能であり、リモコン操作が可能なテレビ受信機と、
データ放送のチャンネル又は同一チャンネル内のコンテンツの変更順序とその周期とが予め記憶されており、その変更順序及び周期に基づいて、データ放送のチャンネル又は同一チャンネル内のコンテンツの変更の命令コマンドを出力する制御部と、
前記命令コマンドに基づいて、データ放送のチャンネル変更、又は同一チャンネル内のコンテンツの変更の制御信号を、前記テレビ受信機に発信することによって、前記テレビ受信機におけるデータ放送のチャンネル変更、又は同一チャンネル内のコンテンツの変更を行うリモコン部と、
データ放送の受信不可能時に前記テレビ受信機の画面に表示されるエラー画像と、データ放送で放送される特定画像とが予め記憶された記憶部と、
前記テレビ受信機に表示される画像をキャプチャする手段と、
キャプチャされた画像と前記記憶部に記憶されているエラー画像とを比較し、キャプチャした画像の一部又は全部と記憶されているエラー画像とが一致する場合にはエラー信号を出力する第１の画像認識手段と、
キャプチャされた画像と前記記憶部に記憶されている特定画像とを比較し、キャプチャした画像の一部又は全部と記憶されている特定画像とが一致しない場合にはエラー信号を出力する第２の画像認識手段と、
前記エラー信号に応答し、データ放送の異常を報知する報知手段と
を有することを特徴とするデータ放送監視システム。
【請求項５】
エラー内容、エラーが発生した時刻のログ情報を記録する手段を更に有することを特徴とする請求項３又は請求項４に記載のデータ放送監視システム。
【請求項６】
前記リモコン部と前記制御部とをネットワークを介して接続し、前記制御部の命令コマンドを、ネットワークを介して前記リモコン部に送信することを特徴とする請求項１から請求項５のいずれかに記載のデータ放送監視システム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
上記課題を解決する第１の発明は、データ放送監視システムであって、データ放送が受信・表示可能であり、リモコン操作が可能なテレビ受信機と、データ放送のチャンネル又は同一チャンネル内のコンテンツの変更順序とその周期とが予め記憶されており、その変更順序及び周期に基づいて、データ放送のチャンネル又は同一チャンネル内のコンテンツの変更の命令コマンドを出力する制御部と、前記命令コマンドに基づいて、データ放送のチャンネル変更、又は同一チャンネル内のコンテンツの変更の制御信号を、前記テレビ受信機に発信することによって、前記テレビ受信機におけるデータ放送のチャンネル変更、又は同一チャンネル内のコンテンツの変更を行うリモコン部と、データ放送の受信不可能時に前記テレビ受信機の画面に表示されるエラー画像が予め記憶された記憶部と、前記テレビ受信機に表示されるデータ放送の画像をキャプチャし、この画像と前記記憶部に記憶されているエラー画像とを比較し、キャプチャした画像の一部又は全部と記憶されているエラー画像とが一致する場合にはエラー信号を出力する画像認識手段と、前記エラー信号に応答し、データ放送の異常を報知する報知手段とを有することを特徴とする。
【手続補正４】
【補正対象書類名】明細書
【補正対象項目名】００１１
【補正方法】変更
【補正の内容】
【００１１】
上記課題を解決する第３の発明は、データ放送監視システムであって、データ放送が受信・表示可能であり、リモコン操作が可能なテレビ受信機と、データ放送のチャンネル又は同一チャンネル内のコンテンツの変更順序とその周期とが予め記憶されており、その変更順序及び周期に基づいて、データ放送のチャンネル又は同一チャンネル内のコンテンツの変更の命令コマンドを出力する制御部と、前記命令コマンドに基づいて、データ放送のチャンネル変更、又は同一チャンネル内のコンテンツの変更の制御信号を、前記テレビ受信機に発信することによって、前記テレビ受信機におけるデータ放送のチャンネル変更、又は同一チャンネル内のコンテンツの変更を行うリモコン部と、データ放送で放送される特定画像が予め記憶された記憶部と、前記テレビ受信機に表示されるデータ放送の画像をキャプチャし、この画像と前記記憶部に記憶されている特定画像とを比較し、キャプチャした画像の一部又は全部と記憶されている特定画像とが一致しない場合にはエラー信号を出力する画像認識手段と、前記エラー信号に応答し、データ放送の異常を報知する報知手段とを有することを特徴とする。
【手続補正５】
【補正対象書類名】明細書
【補正対象項目名】００１２
【補正方法】変更
【補正の内容】
【００１２】
上記課題を解決する第４の発明は、データ放送監視システムであって、データ放送が受信・表示可能であり、リモコン操作が可能なテレビ受信機と、データ放送のチャンネル又は同一チャンネル内のコンテンツの変更順序とその周期とが予め記憶されており、その変更順序及び周期に基づいて、データ放送のチャンネル又は同一チャンネル内のコンテンツの変更の命令コマンドを出力する制御部と、前記命令コマンドに基づいて、データ放送のチャンネル変更、又は同一チャンネル内のコンテンツの変更の制御信号を、前記テレビ受信機に発信することによって、前記テレビ受信機におけるデータ放送のチャンネル変更、又は同一チャンネル内のコンテンツの変更を行うリモコン部と、データ放送の受信不可能時に前記テレビ受信機の画面に表示されるエラー画像と、データ放送で放送される特定画像とが予め記憶された記憶部と、前記テレビ受信機に表示されるデータ放送の画像をキャプチャする手段と、キャプチャされた画像と前記記憶部に記憶されているエラー画像とを比較し、キャプチャした画像の一部又は全部と記憶されているエラー画像とが一致する場合にはエラー信号を出力する第１の画像認識手段と、キャプチャされた画像と前記記憶部に記憶されている特定画像とを比較し、キャプチャした画像の一部又は全部と記憶されている特定画像とが一致しない場合にはエラー信号を出力する第２の画像認識手段と、前記エラー信号に応答し、データ放送の異常を報知する報知手段とを有することを特徴とする。
【手続補正６】
【補正対象書類名】明細書
【補正対象項目名】００１５
【補正方法】変更
【補正の内容】
【００１５】
上記課題を解決する第６の発明は、上記第１から第５のいずれかの発明において、前記リモコン部と前記制御部とをネットワークを介して接続し、前記制御部の命令コマンドを、ネットワークを介して前記リモコン部に送信することを特徴とする。
【手続補正７】
【補正対象書類名】明細書
【補正対象項目名】００３３
【補正方法】変更
【補正の内容】
【００３３】
画像入力部２１は、テレビ受信機１からの画像を入力とし、この画像のキャプチャするものである。